【手続補正書】
【提出日】平成23年3月24日(2011.3.24)
【手続補正１】
【補正対象書類名】特許請求の範囲
【補正対象項目名】全文
【補正方法】変更
【補正の内容】
【特許請求の範囲】
【請求項１】
関連するコアネットワークへの順序付けられたシーケンシャル転送におけるサービス・データ・ユニットとして、基地局が移動局からプロトコル・データ・ユニットを受信する無線通信ネットワークにおいて、ソース基地局からターゲット基地局への移動局のシームレスなハンドオーバをサポートする方法であって、
ハンドオーバの実行中に、前記ソース基地局から転送されたサービス・データ・ユニットとシーケンス番号情報とを前記ターゲット基地局において受信するステップであって、該転送されたサービス・データ・ユニットは、前記関連するコアネットワークへのシーケンシャル転送のために該ソース基地局において保持されているサービス・データ・ユニットから成り、該転送されたシーケンス番号情報は、該転送されたサービス・データ・ユニットに対応するシーケンス番号を示す、ステップと、
前記ターゲット基地局から前記関連するコアネットワークへのシーケンシャル転送のために、前記転送されたサービス・データ・ユニットを該ターゲット基地局において必要に応じて並べ替えるステップと
を含むことを特徴とする方法。
【請求項２】
前記ターゲット基地局から前記関連するコアネットワークへのシーケンシャル転送のために、前記転送されたサービス・データ・ユニットを前記ターゲット基地局において必要に応じて並べ替える前記ステップは、
前記ターゲット基地局が、前記転送されたシーケンス番号情報に基づいて欠落したサービス・データ・ユニットを特定するとともに、該欠落したサービス・データ・ユニットに対応するプロトコル・データ・ユニットの前記移動局による再送を要求するステップを含むことをさらに特徴とする請求項１に記載の方法。
【請求項３】
前記ターゲット基地局が、
前記再送されたプロトコル・データ・ユニットを受信して、前記欠落したサービス・データ・ユニットを取得するためにそれらを処理し、当該処理により取得されたサービス・データ・ユニットを前記転送されたサービス・データ・ユニットとともに、前記関連するコアネットワークへのシーケンシャル転送のために必要に応じて並べ替えることをさらに特徴とする請求項２に記載の方法。
【請求項４】
前記転送されたシーケンス番号情報が、前記転送されたサービス・データ・ユニットに対応するプロトコル・データ・ユニットのシーケンス番号を示すことをさらに特徴とする請求項１に記載の方法。
【請求項５】
前記転送されたシーケンス番号情報が、前記ソース基地局から前記関連するコアネットワークへ直近に転送されたサービス・データ・ユニットに対応するシーケンス番号、又は、順番に受信されたサービス・データ・ユニットのうち最後のものに対応するシーケンス番号を示すことをさらに特徴とする請求項１に記載の方法。
【請求項６】
前記ターゲット基地局が、
前記ソース基地局から前記関連するコアネットワークへ以前に転送されたサービス・データ・ユニットに関して重複している、該ターゲット基地局において前記移動局から受信されたプロトコル・データ・ユニットを特定するために、前記転送されたシーケンス番号情報を処理し、かつ、
前記ターゲット基地局から前記関連するコアネットワークへのシーケンシャル転送のために前記転送されたサービス・データ・ユニットの並べ替えを行うことを目的として、前記移動局からの再送を要求されたプロトコル・データ・ユニットを特定するために、前記転送されたシーケンス番号情報を処理することをさらに特徴とする請求項１に記載の方法。
【請求項７】
前記転送されたサービス・データ・ユニットが、
ハンドオーバの開始時又は開始前に前記ソース基地局において誤った順序で受信され、かつ、該ソース基地局から前記関連するコアネットワークへサービス・データ・ユニットとして転送されていない、対応するプロトコル・データ・ユニットの、暗号化解除に成功したバージョンであることをさらに特徴とする請求項１に記載の方法。
【請求項８】
前記転送されたサービス・データ・ユニットが、
ハンドオーバの開始時又は開始前に前記ソース基地局において誤った順序で受信され、かつ、該ソース基地局から前記関連するコアネットワークへサービス・データ・ユニットとして転送されていない、対応するプロトコル・データ・ユニットの、暗号化解除及び圧縮解除に成功したバージョンであることをさらに特徴とする請求項１に記載の方法。
【請求項９】
前記プロトコル・データ・ユニットが、パケット・データ集約プロトコル（ＰＤＣＰ）のプロトコル・データ・ユニットを含み、
前記サービス・データ・ユニットが、ＰＤＣＰサービス・データ・ユニットを含むことをさらに特徴とする請求項１に記載の方法。
【請求項１０】
関連するコアネットワークへの順序付けられたシーケンシャル転送におけるサービス・データ・ユニットとして、基地局が移動局からプロトコル・データ・ユニットを受信する無線通信ネットワークにおいて、ソース基地局からターゲット基地局への移動局のシームレスなハンドオーバをサポートするターゲット基地局であって、
前記ソース基地局から転送されたサービス・データ・ユニットとシーケンス番号情報とを受信するインタフェースであって、該転送されたサービス・データ・ユニットは、前記関連するコアネットワークへのシーケンシャル転送のために該ソース基地局において保持されているサービス・データ・ユニットから成り、該転送されたシーケンス番号情報は、該転送されたサービス・データ・ユニットに対応するシーケンス番号を示す、インタフェースと、
前記ターゲット基地局から前記関連するコアネットワークへのシーケンシャル転送のために、前記転送されたサービス・データ・ユニットを前記ターゲット基地局において必要に応じて並べ替えるハンドオーバ・プロセッサと
を備えることを特徴とするターゲット基地局。
【請求項１１】
前記ハンドオーバ・プロセッサが、
前記転送されたシーケンス番号情報に基づいて欠落したサービス・データ・ユニットを特定するとともに、該欠落したサービス・データ・ユニットに対応するプロトコル・データ・ユニットの前記移動局による再送を要求することによって、前記転送されたサービス・データ・ユニットを並べ替えることをさらに特徴とする請求項１０に記載のターゲット基地局。
【請求項１２】
前記ターゲット基地局が、
前記再送されたプロトコル・データ・ユニットを受信して、前記欠落したサービス・データ・ユニットを取得するためにそれらを処理し、当該処理によって取得されたサービス・データ・ユニットを前記転送されたサービス・データ・ユニットとともに、前記関連するコアネットワークへのシーケンシャル転送のために必要に応じて並べ替えることをさらに特徴とする請求項１１に記載のターゲット基地局。
【請求項１３】
前記転送されたシーケンス番号情報が、さらに、
前記ソース基地局から前記関連するコアネットワークへ直近に転送されたサービス・データ・ユニットに対応するシーケンス番号、又は、順番に受信されたサービス・データ・ユニットのうち最後のものに対応するシーケンス番号を示すことをさらに特徴とする請求項１０に記載のターゲット基地局。
【請求項１４】
前記ハンドオーバ・プロセッサが、
前記ソース基地局から前記関連するコアネットワークへ以前に転送されたサービス・データ・ユニットに関して重複している、該ターゲット基地局において前記移動局から受信されたプロトコル・データ・ユニットを特定するために、前記転送されたシーケンス番号情報を処理し、かつ、
前記ターゲット基地局から前記関連するコアネットワークへのシーケンシャル転送のために前記転送されたサービス・データ・ユニットの並べ替えを行うことを目的として、前記移動局からの再送を要求されたプロトコル・データ・ユニットを特定するために、前記転送されたシーケンス番号情報を処理することをさらに特徴とする請求項１０に記載のターゲット基地局。
【請求項１５】
前記転送されたサービス・データ・ユニットが、
ハンドオーバの開始時又は開始前に前記ソース基地局において誤った順序で受信され、かつ、該ソース基地局から前記関連するコアネットワークへサービス・データ・ユニットとして転送されていない、対応するプロトコル・データ・ユニットの、暗号化解除に成功したバージョンであることをさらに特徴とする請求項１０に記載のターゲット基地局。
【請求項１６】
前記転送されたサービス・データ・ユニットが、
ハンドオーバの開始時又は開始前に前記ソース基地局において誤った順序で受信され、かつ、該ソース基地局から前記関連するコアネットワークへサービス・データ・ユニットとして転送されていない、対応するプロトコル・データ・ユニットの、暗号化解除及び圧縮解除に成功したバージョンであることをさらに特徴とする請求項１０に記載のターゲット基地局。
【請求項１７】
関連するコアネットワークへの順序付けられたシーケンシャル転送におけるサービス・データ・ユニットとして、基地局が移動局からプロトコル・データ・ユニットを受信する無線通信ネットワークにおいて、ソース基地局からターゲット基地局への移動局のシームレスなハンドオーバをサポートする方法であって、
ハンドオーバの実行中に、前記ソース基地局から前記ターゲット基地局へサービス・データ・ユニットとシーケンス番号情報とを転送するステップを含み、
前記転送されたサービス・データ・ユニットは、前記関連するコアネットワークへのシーケンシャル転送のために前記ソース基地局において保持されているサービス・データ・ユニットから成り、
前記転送されたシーケンス番号情報は、前記転送されたサービス・データ・ユニットに対応するシーケンス番号を示すことを特徴とする方法。
【請求項１８】
前記転送されたサービス・データ・ユニットが、前記ソース基地局において誤った順序で受信された対応するプロトコル・データ・ユニットの、暗号化解除に成功したバージョンであることによって、前記転送されたシーケンス番号情報は、このような誤った順序のプロトコル・データ・ユニットのシーケンス番号を示すことをさらに特徴とする請求項１７に記載の方法。
【請求項１９】
前記ソース基地局が、さらに、
前記ソース基地局から前記関連するコアネットワークへ直近に転送されたサービス・データ・ユニットに対応するシーケンス番号の表示、又は、順番に受信されたサービス・データ・ユニットのうち最後のものに対応するシーケンス番号の表示を、前記転送されたシーケンス番号情報に含めることをさらに特徴とする請求項１７に記載の方法。
【請求項２０】
関連するコアネットワークへの順序付けられたシーケンシャル転送におけるサービス・データ・ユニットとして、基地局が移動局から圧縮解除及び暗号化解除のためのプロトコル・データ・ユニットを受信する無線通信ネットワークにおいて、ソース基地局からターゲット基地局への移動局のシームレスなハンドオーバをサポートするソース基地局であって、
前記ソース基地局から前記ターゲット基地局へサービス・データ・ユニットとシーケンス番号情報とを転送するハンドオーバ・プロセッサ及び関連するインタフェースを備え、
前記転送されたサービス・データ・ユニットは、前記関連するコアネットワークへのシーケンシャル転送のために前記ソース基地局において保持されているサービス・データ・ユニットから成り、
前記転送されたシーケンス番号情報は、前記転送されたサービス・データ・ユニットに対応するシーケンス番号を示すことを特徴とするソース基地局。
【請求項２１】
前記転送されたサービス・データ・ユニットが、前記ソース基地局において誤った順序で受信された対応するプロトコル・データ・ユニットの、暗号化解除に成功したバージョンであり、
前記転送されたシーケンス番号情報が、このような誤った順序のプロトコル・データ・ユニットのシーケンス番号を示すことをさらに特徴とする請求項２０に記載のソース基地局。
【請求項２２】
前記ソース基地局が、さらに、
前記ソース基地局から前記関連するコアネットワークへ直近に転送されたサービス・データ・ユニットに対応するシーケンス番号の表示、又は、順番に受信されたサービス・データ・ユニットのうち最後のものに対応するシーケンス番号の表示を、前記転送されたシーケンス番号情報に含めることをさらに特徴とする請求項２０に記載のソース基地局。
【請求項２３】
移動局がプロトコル・データ・ユニットを基地局へ送信し、当該基地局が対応するサービス・データ・ユニットを関連するコアネットワークへ転送する無線通信ネットワークにおいて使用される、ソース基地局からターゲット基地局へのシームレスなハンドオーバをサポートする移動局であって、
欠落しているサービス・データ・ユニットについての新たなプロトコル・データ・ユニットを再生成するとともに、前記ターゲット基地局において何れのサービス・データ・ユニットが欠落しているかを示す、又は何れのサービス・データ・ユニットが該ターゲット基地局において受信に成功しているかを等価的に示す、該ターゲット基地局からのシグナリングに応じて、前記再生成されたプロトコル・データ・ユニットを送信するハンドオーバ・プロセッサを備え、
前記再生成されたプロトコル・データ・ユニットは、前記移動局においてバッファリングされた対応するサービス・データ・ユニットから再生成されることを特徴とする移動局。
【請求項２４】
前記再生成されたプロトコル・データ・ユニットが、新たな暗号化状態及び新たなヘッダ圧縮状態のうちの少なくとも１つを使用して再生成されることをさらに特徴とする請求項２３に記載の移動局。
【請求項２５】
受信に成功していることが前記ターゲット基地局によって示されたサービス・データ・ユニットの再送を控えることをさらに特徴とする請求項２３に記載の移動局。